(57)【要約】【課題】台板の開口部をカバーで塞ぐように構成したときに、台板内に溜まった水が漏れ出ることを防止する。【解決手段】本実施形態の洗濯機は、脚部を有する台板と、この台板上に載置固定され内部に外槽が配設された外箱とを備えてなる洗濯機において、前記台板を矩形枠状に構成し、前記台板の開口部を着脱可能に閉塞する矩形皿形状のカバーを備え、前記カバーは、矩形枠状の平板部と、この平板部の開口部に下方へ向けて突出するように形成された矩形容器状の貯水部とを有するところに特徴を有する。【選択図】図１
2012254106.tif 000002
【特許請求の範囲】
【請求項１】
脚部を有する台板と、この台板上に載置固定され内部に外槽が配設された外箱とを備えてなる洗濯機において、
前記台板を矩形枠状に構成し、
前記台板の開口部を着脱可能に閉塞する矩形皿形状のカバーを備え、
前記カバーは、矩形枠状の平板部と、この平板部の開口部に下方へ向けて突出するように形成された矩形容器状の貯水部とを有することを特徴とする洗濯機。
【請求項２】
前記貯水部の底部には、真下排水溝用のパイプを敷設可能な段部を上方へ向けて突出するように設けたことを特徴とする請求項１記載の洗濯機。
【請求項３】
前記平板部に排水ホースを通すための取付孔形成用のミシン目状のスリットを形成したことを特徴とする請求項１または２記載の洗濯機。
【請求項４】
前記カバーの外形形状を正方形状に構成したことを特徴とする請求項１ないし３のいずれかに記載の洗濯機。
【請求項５】
前記カバーを変形可能な弾性材で形成したことを特徴とする請求項１記載の洗濯機。
【発明の詳細な説明】
【技術分野】
【０００１】
本発明の実施形態は、洗濯機に関する。
【背景技術】
【０００２】
縦軸型の全自動洗濯機の本体は、脚部を有する台板と、この台板上に載置固定された金属板製の外箱とから構成されている。外箱内には、外槽（水槽）が弾性支持機構を介して配設されている。台板は、矩形枠状に構成されており、大きな開口部を有する。家庭の排水溝の位置が不定であり、その排水溝に合わせて排水ホースを敷設したり、排水ホースの取り出し方向を変えたりする作業を行うため、または、洗濯機の輸送時に外槽等の内部機構部を支える梱包材を配設するため等により、台板には開口部が必要であった。
【０００３】
しかし、台板に開口部があると、ねずみ等が上記開口部を通って侵入し、配線を噛んだりして漏電を引き起こすおそれがあった。また、排水ホースが破損して漏れた水や、スプラッシュにより外槽から漏れた水が上記開口部を通って落下して、床面を濡らしてしまうことがあり、防水パンが無い家庭では、床が腐食するおそれがあった。
【０００４】
このような問題点を解消する構成として、台板の開口部を着脱可能またはスライド可能なカバーで塞ぐように構成した洗濯機が知られている（特許文献１参照）。
【先行技術文献】
【特許文献】
【０００５】
【特許文献１】特開平３−２８９９９７号公報
【発明の概要】
【発明が解決しようとする課題】
【０００６】
しかし、上記カバーで台板の開口部を着脱可能に塞ぐ構成の場合、外槽等から漏れた水がカバーで塞がれた台板内に溜まり、カバーと台板の開口部との間の隙間から漏れ出るおそれがあった。このため、上記漏れ出た水が床上に落下して床を濡らしてしまうという問題点があった。
【０００７】
そこで、台板の開口部をカバーで塞ぐ構成としたときに、台板内に溜まった水が漏れ出ることを防止できる洗濯機を提供する。
【課題を解決するための手段】
【０００８】
本実施形態の洗濯機は、脚部を有する台板と、この台板上に載置固定され内部に外槽が配設された外箱とを備えてなる。台板を矩形枠状に構成し、台板の開口部を着脱可能に閉塞する矩形皿形状のカバーを備える。カバーは、矩形枠状の平板部と、この平板部の開口部に下方へ向けて突出するように形成された矩形容器状の貯水部とを有する。
【図面の簡単な説明】
【０００９】
【図１】第１実施形態による台板及びカバーの縦断面図
【図２】洗濯機の縦断側面図
【図３】台板、カバー及び排水ホースの上面図
【図４】台板及びカバーの斜視図
【図５】カバーの斜視図
【図６】第２実施形態によるカバーの斜視図
【発明を実施するための形態】
【００１０】
以下、複数の実施形態による洗濯機を図面に基づいて説明する。尚、各実施形態において実質的に同一の構成部品には同一の符号を付し、説明を省略する。
（第１実施形態）
まず、図２には、洗濯機、中でも全自動式の縦軸型の脱水兼用洗濯機の全体構成を示している。この図２に示すように、脚部１を有する台板２と、この台板２上に載置結合した例えば金属板製の外箱３、及び、この外箱３上に載置結合したトップカバー４とにより、筐体５を構成している。
【００１１】
筐体５の内部、特に外箱３の内部には、外槽６を、複数本（１本のみ図示）の吊り棒７を主体とする弾性支持機構８により支持して配設しており、外槽６の内部には内槽９を回転可能に配設している。内槽９は、洗濯槽として機能すると共に、脱水槽としても機能するもので、上端部に脱水孔１０を有し、これにより若干内側に内バスケット１１を設けると共に、例えば液体封入形の回転バランサ１２を設けている。内バスケット１１は、詳しくは図示しないが全体に多孔状を成すもので、下端部は内槽９の底部近くに位置し、これが、該内槽９の底部上に配設した底カバー１３と重なり合っている。
【００１２】
また、底カバー１３の内方には、洗濯用の撹拌体１４を配設している。この撹拌体１４を洗濯時に時計回りと反時計回りの正逆両方向に回転させるモータ１５を、外槽６の外下方部に配設している。
【００１３】
ここで、洗濯時に上述のごとく撹拌体１４が回転されれば、必要水量が供給された内槽９内には、その回転に応じた水流が生成され、この水流によって図示しない洗濯物の洗濯が行われるものである。この場合、撹拌体１４とモータ１５は、その洗濯をする洗濯機構１６を構成している。
【００１４】
モータ１５は、詳細には、例えばアウターロータ形のブラシレスモータから成るものである。モータ１５は、脱水時には上記撹拌体１４と共に内槽９を一方向に高速回転させるようになっており、それによって、上記内バスケット１１から脱水孔１０を通しての遠心脱水を行うようになっている。尚、モータ１５は、洗濯時に内槽９を制止する機構を内蔵している。また、この場合、モータ１５は、撹拌体１４及び内槽９を直接回転駆動（ダイレクトドライブ）するものであるが、これに限られず、ベルト伝動機構など適宜の伝動機構を介して間接的にそれらを回転駆動するものであっても良い。
【００１５】
このほか、外槽６の外側部にはエアトラップ１７を形成しており、このエアトラップ１７からエアチューブ（図示せず）を介して外槽６内の水位（内槽９内の水位でもある）を検知する水位センサ（図示せず）を、前記トップカバー４内に配置している。また、トップカバー４には、洗濯物出入口（図示せず）を形成すると共に、この洗濯物出入口を開閉する例えば２つ折りの蓋１９を設けている。更に、上記トップカバー４の前部には、上述の洗濯及び脱水等の運転を制御する例えばマイクロコンピュータを主体とする制御装置２０を配設している。
【００１６】
そして、外槽６の底部の後部（図２中右側部）には、排水口２１を形成しており、この排水口２１に、内槽９の中心部から外槽６の底部上に設けた排水路２２が連通すると共に、上記エアトラップ１７が連通している。また、この排水口２１には排水弁２３を接続し、この排水弁２３に排水ホース２４を接続している。この排水ホース２４は、内槽９内から上記排水路２２及び排水弁２３を通じて排出される水を機外に排出するためのもので、全部を１本の、可撓性を有する例えば蛇腹ホースで構成している。
【００１７】
さて、前記台板２について、図１、図３、図４および図５を参照して詳細に説明する。台板２は、例えばプラスチックにより、厚みのある比較的大きなほぼ矩形枠状に形成したものであり、その四隅部の下面部に脚部１を有している。台板２の矩形状（例えば正方形状）の開口部２５は、図１、図３及び図４に示すように、カバー２６により着脱可能に閉塞されている。
【００１８】
上記カバー２６は、図５に示すように、例えばプラスチックにより矩形皿形状に形成されており、矩形枠状（例えば正方形枠状）の平板部２７と、この平板部２７の開口部に下方へ向けて突出するように形成された矩形容器状（例えば正方形容器状）の貯水部２８とを有する。この貯水部２８の１つの側壁部２９には、排水ホース２４を通して取り付けるための取付孔３０が形成されている。貯水部２８の底部３１には、真下排水溝用のパイプ（図示しない）を敷設可能な段部３２を上方へ向けて突出するように形成している。段部３２は、貯水部２８の１つの側壁部３３から貯水部２８の底部３１の中心部まで延びるように形成されており、その内部に上記真下排水溝用のパイプを収容可能な構成となっている。
【００１９】
また、図１、図３及び図５に示すように、台板２の開口部２５における左右の内面部３４、３５には、カバー２６の平板部２７をスライド可能に支持する案内部３６が突設されている。案内部３６は、一対の突片部３６ａ、３６ｂから構成され、断面コ字状をなす形状に形成されている。案内部３６は、前後方向に２個、左右合わせて４個設けられている。案内部３６の溝３６ｃ内に、カバー２６の平板部２７をスライド可能に嵌合させることにより、カバー２６を案内部３６にスライド可能に支持している。
【００２０】
この場合、台板２の前部には、図４に示すように、カバー２６を出し入れするための出し入れ口３７が下方へ開口するように形成されており、案内部３６の溝３６ｃが露出する構成となっている。この出し入れ口３７からカバー２６の平板部２７を案内部３６の溝３６ａ内に嵌合させて後方へスライドさせることにより、カバー２６を台板２に取り付けることが可能な構成となっている。
【００２１】
そして、カバー２６を台板２に取り付けた状態で、または、カバー２６を台板２に取り付けるために後方へスライドさせていく途中の状態で、図３に示すように、洗濯機の外槽６の排水弁２３に接続された排水ホース２４の先端部を、カバー２６の貯水部２８の内部から、その側壁部２９の取付孔３０を挿通させてカバー２６の外部へ出す。更に、取付孔３０を挿通させて外部へ出した排水ホース２４の先端部を、台板２に形成されたほぼ半円状の孔３８（図１参照）を挿通させて台板２の外部へ引き出す構成となっている。この構成の場合、排水ホース２４を取付孔３０に挿通させると、取付孔３０が排水ホース２４によって閉塞されることにより、水が取付孔３０から漏れない構成となっている。
【００２２】
尚、台板２の孔３８は、台板２の４つの辺部にそれぞれ１個ずつ形成されている。孔３８の形成位置は、台板２の各辺部の横方向の中央部よりも一方に少し偏った位置となっている。尚、カバー２６の取付孔３０の形成位置は、カバー２６の貯水部２８の側壁部２９の横方向のほぼ中央部に位置している。
【００２３】
上記構成の場合、排水ホース２４を台板２の外部へ引き出すに際して、洗濯機の例えば後方へ引き出すように構成したが、これに限られるものではなく、洗濯機の左方、右方または前方へ引き出すように構成しても良い。例えば洗濯機の左方（または右方）へ引き出す場合には、カバー２６を図１及ぶ図３に示す状態から９０度左回り（または右回り）方向に回転させた状態、即ち、排水ホース２４の取付孔３０がカバー２６の左辺部（または右辺部）に位置する状態で、カバー２６を台板２に取り付ければ良い。また、洗濯機の前方へ引き出す場合には、カバー２６を図１及ぶ図３に示す状態から１８０度回転させた状態、即ち、排水ホース２４の取付孔３０がカバー２６の前辺部に位置する状態で、カバー２６を台板２に取り付ければ良い。
【００２４】
このような構成の本実施形態によれば、矩形枠状の台板２の開口部２５を、矩形皿形状のカバー２６により着脱可能に閉塞する構成とし、更に、カバー２６に矩形容器状の貯水部２８を設けたので、ねずみ等が上記開口部２５を通って侵入し、配線を噛んだりして漏電を引き起こすおそれを防止できると共に、排水ホース２４が破損して漏れた水や、スプラッシュにより外槽６から漏れた水が上記開口部２５を通って落下して、床面を濡らしてしまうことを防止できる。更に、本実施形態によれば、外槽６等から漏れた水を、台板２の貯水部２８内に貯水する構成としたので、台板２の開口部２５をカバー２６で塞ぐ構成としながら、従来構成とは異なり、台板２内に溜まった水が漏れ出ることを確実に防止することができる。
【００２５】
また、上記実施形態では、貯水部２８の底部３１に、真下排水溝用のパイプを敷設可能な段部３２を上方へ向けて突出するように設けたので、カバー２６に貯水部２８を設ける構成としながら、真下排水溝用のパイプを敷設することができる。
【００２６】
更に、上記実施形態では、カバー２６の外形形状を正方形状に構成したので、排水ホース２４を台板２の外部へ引き出すに際して、排水ホース２４の引き出し方向に応じてカバー２６を回転させて台板２に取り付けるだけであるから、排水ホース２４を洗濯機の後方、左方、右方または前方へ引き出すことが容易に可能となる。
【００２７】
図６は、第２実施形態を示す図である。尚、第１実施形態と同一構成には、同一符号を付している。この第２実施形態では、カバー２６の４辺の平板部３９の幅寸法Ａを広くして、これら平板部３９の横方向の中央部に取付孔を形成するためのミシン目状のスリット４０を形成した。この構成の場合、排水ホース２４を挿通させる取付孔を形成するには、該取付孔を形成する辺部の平板部３９のミシン目状のスリット４０の間の部分をニッパ等で切り取ることにより、排水ホース２４を挿通させるための取付孔を形成する。尚、カバー２６の貯水部２８の底部３１には、真下排水溝用のパイプを敷設可能な段部３２を形成しておくことが好ましい。
【００２８】
上述した以外の第２実施形態の構成は、第１実施形態と同じ構成となっている。従って、第２実施形態においても、第１実施形態とほぼ同じ作用効果を得ることができる。
尚、上記第２実施形態では、カバー２６の外形形状を正方形状としたが、長方形状としても良い。また、上記第２実施形態では、カバー２６の４辺の平板部３９にそれぞれミシン目状のスリット４０を形成したが、これに限られるものではなく、いずれか１辺の平板部３９にミシン目状のスリット４０を１個形成する構成としても良い。
【００２９】
また、上記各実施形態では、カバー２６に排水ホース２４を通すための取付孔３０やミシン目状のスリット４０を形成したが、これに代えて、カバーを変形可能な弾性材で形成し、排水ホース２４が挿通するようにカバーの平板部を弾性変形させるように構成しても良い。このように構成すれば、取付孔３０やミシン目状のスリット４０を形成する作業が不要になる。
【００３０】
更に、上記各実施形態では、台板２の開口部２５にカバー２６をスライド可能に取り付けるに際して、台板２の開口部２５における左右の内面部３４、３５に、一対の突片部３６ａ、３６ｂからなる案内部３６を設け、この案内部３６の溝３６ｃ内にカバー２６の平板部２７をスライド可能に嵌合させる構成としたが、これに限られるものではなく、例えば、台板２の開口部２５における左右の内面部３４、３５に、カバー２６の平板部２７をスライド可能に嵌合させる溝を形成し、この溝にカバー２６の平板部２７をスライド可能に嵌合させるように構成しても良い。尚、この構成の場合、カバー２６の平板部２７の横方向に張り出す長さ寸法を第１実施形態よりも長くすれば良い。
【符号の説明】
【００３１】
図面中、１は脚部、２は台板、３は外箱、６は外槽、８は弾性支持機構、９は内槽、１４は撹拌体、１５はモータ、２１は排水口、２２は排水路、２３は排水弁、２４は排水ホース、２５は開口部、２６はカバー、２７は平板部、２８は貯水部、３０は取付孔、３２は段部、３６は案内部、３７は出し入れ口、３８は孔、３９は平板部、４０はスリットを示す。
【図１】
2012254106.tif 000003
【図２】
2012254106.tif 000004
【図３】
2012254106.tif 000005
【図４】
2012254106.tif 000006
【図５】
2012254106.tif 000007
【図６】
2012254106.tif 000008